(57)【要約】【課題】焼き嵌めリングの周方向での不均一な熱収縮に起因した真円度の悪化を低減することができる固定子コア製造方法の提供。【解決手段】内径側治具の外周面に沿うように複数の分割コアを円環状に配置した後、周方向の一部にて外径側に突出したフランジを有する焼き嵌めリングを嵌めて、固定子コアを製造する固定子コア製造方法であって、前記内径側治具は、前記複数の分割コアが配置された状態において、周方向の所定位置にて径方向外側に突出した状態とされ、前記円環状に配置した複数の分割コアの外周面を外径側治具により内径側に押圧し、前記外径側治具により内径側に押圧された複数の分割コアの軸方向の端面を軸方向の上下から把持し、前記軸方向の端面が把持された後、前記複数の分割コアの外周面から前記外径側治具を離し、前記外径側治具を離した後、前記複数の分割コアの外周面に、前記所定位置に対応した周方向の位置に、前記フランジの周方向位置が合うように、前記焼き嵌めリングを嵌めることを含む。【選択図】図３
2014187840.tif 000002
【特許請求の範囲】
【請求項１】
内径側治具の外周面に沿うように複数の分割コアを円環状に配置した後、周方向の一部にて外径側に突出したフランジを有する焼き嵌めリングを嵌めて、固定子コアを製造する固定子コア製造方法であって、
前記内径側治具は、前記複数の分割コアが配置された状態において、周方向の所定位置にて径方向外側に突出した状態とされ、
前記円環状に配置した複数の分割コアの外周面を外径側治具により内径側に押圧し、
前記外径側治具により内径側に押圧された複数の分割コアの軸方向の端面を軸方向の上下から把持し、
前記軸方向の端面が把持された後、前記複数の分割コアの外周面から前記外径側治具を離し、
前記外径側治具を離した後、前記複数の分割コアの外周面に、前記所定位置に対応した周方向の位置に、前記フランジの周方向位置が合うように、前記焼き嵌めリングを嵌めることを含む、固定子コア製造方法。
【請求項２】
前記内径側治具は、周方向に隣接して円環状をなす複数の内径側治具部を含み、
前記内径側治具が前記突出した状態とされることは、前記複数の内径側治具部のうちの、前記周方向の所定位置に対応する内径側治具部を外径側に移動させることを含む、請求項１に記載の固定子コア製造方法。
【請求項３】
前記内径側治具が前記突出した状態とされることは、前記内径側治具の内径側に設けられる複数のロッド部であって、シャフトまわりに周方向に隣接して円環状をなす態様で設けられる複数のロッド部のうち、前記周方向の所定位置に対応するロッド部の軸方向の位置を変化させることを含み、
前記複数のロッド部の外周面と、前記内径側治具部の内周面は、互いに逆向きのテーパ面で当接し合う、請求項２に記載の固定子コア製造方法。
【請求項４】
前記外径側治具は、周方向に隣接して円環状をなす複数の外径側治具部であって、それぞれが前記複数の内径側治具部のそれぞれと径方向内外で対をなす複数の外径側治具部を含み、
前記複数の分割コアの外周面を外径側治具により内径側に押圧することは、各対の前記外径側治具部と前記内径側治具部との間に前記複数の分割コアを径方向に挟みこむ態様で、前記複数の外径側治具部をそれぞれ内径側に押圧することを含む、請求項１〜３のうちのいずれか１項に記載の固定子コア製造方法。
【発明の詳細な説明】
【技術分野】
【０００１】
本発明は、固定子コア製造方法に関する。
【背景技術】
【０００２】
従来から、分割コア（分割コア組立）の内周を外側に押圧する内径治具と、分割コア（分割コア組立）の外周を内側に押圧する外周治具とにより、分割コア（分割コア組立）を位置決めする第１工程と、位置決めされた分割コア（分割コア組立）を、上押え部材と下押え部材により上下に挟んで保持する第２工程と、外周治具を外して、加熱膨張させた焼き嵌めリングを嵌める第３工程を有する固定子コア製造方法が知られている（例えば、特許文献１参照）。
【先行技術文献】
【特許文献】
【０００３】
【特許文献１】特開２０１０‐１０４１０２号公報
【発明の概要】
【発明が解決しようとする課題】
【０００４】
しかしながら、上記の特許文献１に記載の方法では、第３工程を終えた時点では、固定子コアの内周の良好な真円度が実現されうるが、第３工程を終えた時点後に内径治具を外すと、焼き嵌めリングの周方向での不均一な熱収縮に起因して、真円度が悪化する虞がある。即ち、焼き嵌めリングは、固定子コアの固定用のフランジを備え、フランジがある周方向位置において収縮応力が他の周方向位置よりも大きくなるため、焼き嵌めリングの収縮応力は周方向で一定に生じない。従って、第３工程を終えた後に内径治具を外すと、周方向でフランジに対応する位置にある分割コアが、他の分割コアよりも内径側に移動され、第３工程を終えた時点で得られていた真円度が悪化する虞がある。
【０００５】
そこで、本発明は、焼き嵌めリングの周方向での不均一な熱収縮に起因した真円度の悪化を低減することができる固定子コア製造方法の提供を目的とする。
【課題を解決するための手段】
【０００６】
本発明の一局面によれば、内径側治具の外周面に沿うように複数の分割コアを円環状に配置した後、周方向の一部にて外径側に突出したフランジを有する焼き嵌めリングを嵌めて、固定子コアを製造する固定子コア製造方法であって、
前記内径側治具は、前記複数の分割コアが配置された状態において、周方向の所定位置にて径方向外側に突出した状態とされ、
前記円環状に配置した複数の分割コアの外周面を外径側治具により内径側に押圧し、
前記外径側治具により内径側に押圧された複数の分割コアの軸方向の端面を軸方向の上下から把持し、
前記軸方向の端面が把持された後、前記複数の分割コアの外周面から前記外径側治具を離し、
前記外径側治具を離した後、前記複数の分割コアの外周面に、前記所定位置に対応した周方向の位置に、前記フランジの周方向位置が合うように、前記焼き嵌めリングを嵌めることを含む、固定子コア製造方法が提供される。
【発明の効果】
【０００７】
本発明によれば、焼き嵌めリングの周方向での不均一な熱収縮に起因した真円度の悪化を低減することができる固定子コア製造方法が得られる。
【図面の簡単な説明】
【０００８】
【図１】固定子コア１の一例を概略的に示す上面図である。
【図２】固定子コア１の第１段階の状態の一例を概略的に示す図である。
【図３】図２（Ｂ）のＹ部の拡大図である。
【図４】固定子コア１の製造工程の第２段階（図２の次の段階）の状態の一例を概略的に示す図である。
【図５】固定子コア１の製造工程の第３段階（図４の次の段階）の状態の一例を概略的に示す図である。
【図６】比較例の場合の真円度が悪化した固定子コアを概略的に示す上面図である。
【発明を実施するための形態】
【０００９】
以下、添付図面を参照しながら各実施例について詳細に説明する。
【００１０】
先ず、固定子コア製造方法の説明に先立って、固定子コア製造方法により製造される固定子コア（ステータコア）の一例について説明する。
【００１１】
図１は、固定子コア１の一例を概略的に示す上面図である。固定子コア１は、図１に示すように、円環状の形態を有し、複数の分割コア１０と、焼き嵌めリング２０とを含む。以下では、径方向、周方向及び軸方向は、固定子コア１の中心軸Ｉを基準とし、中心軸Ｉを中心として内径側及び外径側を定義する。例えば、内径側とは、中心軸Ｉの径方向で中心軸Ｉに近い側を指す。
【００１２】
複数の分割コア１０は、図１に示すように、周方向に隣接して円環状をなす。各分割コア１０は、例えば積層鋼板により形成されるコア部１２（図２（Ｂ）参照）と、巻線１４（図２（Ｂ）参照）とを含む。尚、コア部１２及び巻線１４の図示は、図１では省略されている。各コア部１２は、円環状に配置された状態で分割コア１０の内周面にステータティースが形成されるように構成される。このステータティースに巻線１４が巻回される。巻線１４の構成は、任意である。例えば、巻線１４は、特開２０１０‐１０４１０２号公報に開示されるような成形済みのエッジワイズコイルにより形成されてもよいし、特開２０１２‐２３５６９６号公報に開示されるような円環状に一体化された巻線集積体により形成されてもよい。尚、巻線１４が巻線集積体により形成される場合、各コア部１２が巻線集積体内に差し込まれることで複数の分割コア１０が一体化されてもよい。
【００１３】
焼き嵌めリング２０は、典型的には、金属材料から形成される。焼き嵌めリング２０は、円筒状（リング状）の形態を有し、周方向の所定位置にフランジ２２を有する。図１に示す例では、フランジ２２は、３箇所設けられており、３つのフランジ２２は、１２０度間隔で配置されている。フランジ２２は、固定子コア１をケース（図示せず）等に固定（締結）するために形成される。このため、フランジ２２は、締結具が通過する孔２３を有してよい。尚、フランジ２２の数や形成位置は任意である。また、フランジ２２は、焼き嵌めリング２０の軸方向の任意の位置に形成されてもよい。
【００１４】
図２は、固定子コア１の製造工程の第１段階の状態の一例を概略的に示す図であり、（Ａ）は、シャフト４０の中心軸（中心軸Ｉと同一）を含む面で切断した断面図であり、（Ｂ）は、図２（Ａ）のラインＡ−Ａに沿って切断した断面図である。尚、以下では、便宜上、シャフト４０の軸方向を鉛直方向の上下方向とし、図２（Ａ）の上側を「上側」とする。
【００１５】
ここで、先ず、図２乃至図５を参照して説明する固定子コア製造方法で用いられてよい固定子コア製造装置について説明する。固定子コア製造装置は、シャフト４０と、ロッド部５０と、内径側治具部（コレット）６０と、外径側治具部７０と、アクチュエータ８０と、固定子コア支持部８２と、上押え部８４と、スライドガイド機構９０とを含む。
【００１６】
シャフト４０は、固定子コア１の中心軸Ｉと同軸に設けられる。シャフト４０は、製造工程中、固定状態とされてよい。
【００１７】
ロッド部５０は、周方向に隣接して円環状をなす態様で複数個設けられ、各ロッド部５０は、同一の構成を有してよい。本例では、各ロッド部５０は、図２（Ｂ）に示すように、上面視で、シャフト４０の中心軸を中心として円環形状を等角度間隔で放射状に分割して得られる形状を有する。各ロッド部５０は、シャフト４０の外周面に径方向で接する内周面を備える。各ロッド部５０の内周面とシャフト４０の外周面とは、軸方向の摺動が可能に構成される。各ロッド部５０は、図２（Ａ）に示すように、テーパの付いた外周面を備える。図２（Ａ）に示す例では、テーパは、下方に行くほどロッド部５０の外径が小さくなる向きに形成されている。各ロッド部５０は、対応するアクチュエータ８０により軸方向（上下方向）に移動可能である。
【００１８】
内径側治具部６０は、周方向に隣接して円環状をなす態様で複数個設けられ、各内径側治具部６０は、同一の構成を有してよい。本例では、各内径側治具部６０は、図２（Ｂ）に示すように、上面視で、シャフト４０の中心軸を中心として円環形状を等角度間隔で放射状に分割して得られる形状を有する。内径側治具部６０の数は、ロッド部５０の数に対応する。各内径側治具部６０は、図２（Ｂ）に示すように、各ロッド部５０と一対一で対応する。即ち、１つの内径側治具部６０は、対応する１つのロッド部５０とのみ径方向に対向し、他のロッド部５０と径方向に対向しない。但し、各内径側治具部６０と各ロッド部５０との対応関係は、一対一以外であってもよい。例えば、１つのロッド部５０に対して２つ以上の内径側治具部６０が対応してもよい。
【００１９】
各内径側治具部６０は、各ロッド部５０の外周面に径方向で接する内周面を備える。各内径側治具部６０の内周面は、テーパの付いた各ロッド部５０の外周面に対応して、テーパを備える。図２（Ａ）に示す例では、各内径側治具部６０のテーパは、下方に行くほど内径側治具部６０の内径が小さくなる向きに形成されている。各内径側治具部６０の内周面と各ロッド部５０の外周面とは、テーパ面に沿った摺動が可能となるように構成される。各内径側治具部６０は、各分割コア１０の内周面に径方向で接する外周面（テーパの無い外周面）を有する。尚、各内径側治具部６０により協動して形成される１周の外周面は、各ロッド部５０が同一の軸位置にあるとき（即ち各内径側治具部６０が同一の径位置に位置するとき）、断面が円形となる。
【００２０】
各内径側治具部６０は、スライドガイド機構９０により径方向に沿って移動可能である。例えば、図２（Ａ）に示す例では、各内径側治具部６０は、対応する各スライド部材９２に固定される。各スライド部材９２は、スライド台９４に形成された径方向の案内溝（図示せず）に沿って径方向に移動可能である。従って、アクチュエータ８０によりロッド部５０が下方に移動されると、対応する内径側治具部６０（当該ロッド部５０と径方向で接する内径側治具部６０）は、径方向外側へ移動される。このようにして、各内径側治具部６０の径位置は、対応する各ロッド部５０の軸方向の位置を調整することで調整することができる。
【００２１】
外径側治具部７０は、周方向に隣接して円環状をなす態様で複数個設けられ、各外径側治具部７０は、同一の構成を有してよい。本例では、各外径側治具部７０は、図２（Ｂ）に示すように、上面視で、シャフト４０の中心軸を中心として円環形状を等角度間隔で放射状に分割して得られる形状を有する。外径側治具部７０の数は、内径側治具部６０の数に対応する。各外径側治具部７０は、好ましくは、図２（Ｂ）に示すように、各内径側治具部６０と一対一で対応する。即ち、１つの外径側治具部７０は、対応する１つの内径側治具部６０とのみ径方向に対向し、他の内径側治具部６０と径方向に対向しない。
【００２２】
各外径側治具部７０は、各分割コア１０の外周面に径方向で接する内周面（テーパの無い内周面）を備える。外径側治具部７０の数は、分割コア１０の数に対応してもよいが、図２（Ｂ）に示すように、対応していなくてもよい。図２（Ｂ）に示す例では、分割コア１０の数の方が外径側治具部７０の数よりも大きく、従って、１つの外径側治具部７０は、２つ以上の分割コア１０と径方向に対向する。
【００２３】
アクチュエータ８０は、各ロッド部５０に対応して設けられる。各アクチュエータ８０は、対応するロッド部５０の上下位置を制御するために設けられる。各アクチュエータ８０は、駆動時、対応するロッド部５０を上下移動させる。アクチュエータ８０は、任意のアクチュエータであってよく、モータやソレノイド等であってよい。尚、各アクチュエータ８０は、図示しない制御装置により制御されてよい。
【００２４】
固定子コア支持部８２は、各分割コア１０の下面を支持する。即ち、固定子コア支持部８２は、各分割コア１０の軸方向の位置を規定する。固定子コア支持部８２は、好ましくは、同一高さで各分割コア１０を支持するように水平に形成される。固定子コア支持部８２は、複数の部材で形成されてもよいし、単一の部材で形成されてもよい。
【００２５】
上押え部８４は、図示しない機構により上下動可能に構成される。上押え部８４は、下降時、各分割コア１０の上面に当接し、固定子コア支持部８２との間に各分割コア１０を把持する。上押え部８４は、複数の分割コア１０に同時に当接する単一の部材により形成されてもよいし、所定数の分割コア１０毎に当接する複数の部材により形成されてもよい。
【００２６】
スライドガイド機構９０は、上述の如く、各内径側治具部６０の径方向の移動をガイドする。各内径側治具部６０の径方向の移動は、シャフト４０の中心軸を通る半径方向に沿った移動である。スライドガイド機構９０は、上述の如く、各スライド部材９２と、各スライド部材９２を径方向に摺動可能に保持するスライド台９４とを含む。尚、各スライド部材９２は、スプリング等により径方向内側に付勢されてもよい。
【００２７】
次に、図２の参照を続けて、固定子コア製造方法について説明する。尚、以下での説明では、各種部材の移動等は、基本的には、各種機構（ロボット等を含む）を用いて、図示しない制御装置による制御下で実現されるが、作業員による手作業で部分的に実現されてもよい。
【００２８】
図２に示す状態では、各分割コア１０は、既に固定子コア製造装置に対してセットされている。セット時の手順は任意であるが、各外径側治具部７０が退避位置にある状態（図４等参照）で、各分割コア１０を各内径側治具部６０の外径側に並べることとしてよい。尚、図２に示す状態では、上押え部８４が上方の退避位置にあり、各分割コア１０は、上方向については拘束されていない。
【００２９】
各分割コア１０がセットされると、図示しない制御装置による制御下で、アクチュエータ８０が駆動され（図２（Ａ）のＦ１参照）、各ロッド部５０の軸方向の位置（即ち各内径側治具部６０の径位置）が調整される。尚、この調整は、各分割コア１０がセットされる前に実現されてもよい。この調整態様については、図３を参照して後述する。
【００３０】
次いで、各外径側治具部７０は、対応する各分割コア１０の外周面に当接し、対応する各分割コア１０を内径側に押圧する（図２（Ａ）のＦ２参照）。これにより、各分割コア１０の径位置が固定（位置決め）される。尚、各外径側治具部７０の動作は、図示しない制御装置による制御下で、例えばアクチュエータ（図示せず）の駆動により実現されてよい。
【００３１】
図３は、図２（Ｂ）のＹ部の拡大図である。図３においては、便宜上、分割コア１０は、コア部１２のみが図示され、巻線１４の図示は省略されている。また、図３においては、後述の焼き嵌め工程で焼き嵌めされる焼き嵌めリング２０のフランジ２２の位置が模式的に一点鎖線で図示されている。尚、図３と図２等とのロッド部５０や内径側治具部６０の個数が違うが、図２では略図だが、図３では詳細に記載している便宜上の理由である。
【００３２】
本実施例では、各ロッド部５０の軸方向の位置（即ち各内径側治具部６０の径位置）は、図３に示すように、後述の焼き嵌め工程で焼き嵌めされる焼き嵌めリング２０のフランジ２２の周方向位置に対応する周方向位置にある分割コア１０が他の分割コア１０よりも径方向外側に突出するように、調整される。図３に示す例では、フランジ２２の周方向位置に対応するＡ２，Ａ３，Ａ４の各ロッド部５０は、フランジ２２の周方向位置に対応しない他のＡ０，Ａ１，Ａ５，Ａ６の各ロッド部５０よりも下方に移動されている。これにより、フランジ２２の周方向位置に対応するＡ２，Ａ３，Ａ４の各内径側治具部６０の径位置は、フランジ２２の周方向位置に対応しない他のＡ０，Ａ１，Ａ５，Ａ６の各内径側治具部６０の径位置よりも径方向外側に突出する。その結果、フランジ２２の周方向位置に対応する周方向位置にある分割コア１０が他の分割コア１０よりも径方向外側に突出することになる。
【００３３】
尚、図３に示す例では、フランジ２２の形成されている周範囲内においてもフランジ２２の幅（径方向の幅）に応じて各分割コア１０の径方向の突出量が可変されている。即ち、フランジ２２の幅が大きいほど（フランジ２２の周方向の中央部に来るほど）、分割コア１０の径方向の突出量が大きくなるように構成されている。フランジ２２の周方向の中央部ほど熱収縮応力が大きいためである（熱収縮応力に関しては後述）。具体的には、Ａ３のロッド部５０は、隣接するＡ２，Ａ４の各ロッド部５０よりも下方に移動されている。これにより、Ａ３の内径側治具部６０の径位置は、隣接するＡ２，Ａ４の各内径側治具部６０の径位置よりも径方向外側に突出する。その結果、Ａ３の分割コア１０が、隣接するＡ２，Ａ４の各分割コア１０よりも径方向外側に位置することになる。
【００３４】
尚、図３に示す例では、１つのフランジ２２の周方向位置に対して３つの分割コア１０が径方向外側に突出されているが、１つのフランジ２２の周方向位置に対して１つの分割コア１０（例えば、Ａ３の分割コア１０）のみが径方向外側に突出されてもよい。
【００３５】
図４は、固定子コア１の製造工程の第２段階（図２の次の段階）の状態の一例を概略的に示す図であり、（Ａ）は、シャフト４０の中心軸を含む面で切断した断面図であり、（Ｂ）は、図４（Ａ）のラインＡ−Ａに沿って切断した断面図である。
【００３６】
上述の如く各外径側治具部７０の内径側への押圧により各分割コア１０の径位置が固定（位置決め）されると、上押え部８４が下降し、図４（Ａ）に示すように、上押え部８４が各分割コア１０の上面に当接して下方に押圧する（Ｆ３参照）。これにより、各分割コア１０が上押え部８４と固定子コア支持部８２との間で把持される。尚、上押え部８４の動作は、図示しない制御装置による制御下で、例えばアクチュエータ（図示せず）の駆動により実現されてよい。
【００３７】
次いで、各外径側治具部７０が各分割コア１０から離れ、図４（Ａ）に示すように、退避位置へと移動される。尚、このとき、各分割コア１０が上押え部８４と固定子コア支持部８２により拘束されているので、各分割コア１０の径位置は変化しない。即ち各分割コア１０の位置決め状態が上押え部８４と固定子コア支持部８２により維持される。
【００３８】
図５は、固定子コア１の製造工程の第３段階（図４の次の段階）の状態の一例を概略的に示す図であり、（Ａ）は、シャフト４０の中心軸を含む面で切断した断面図であり、（Ｂ）は、図５（Ａ）のラインＡ−Ａに沿って切断した断面図である。
【００３９】
上述の如く各分割コア１０の位置決め状態が上押え部８４と固定子コア支持部８２により維持された状態（図５（Ａ）のＦ３参照）で、焼き嵌めリング２０が各分割コア１０の外周面に嵌められる。焼き嵌めリング２０は、加熱膨張された状態（拡径された状態）で各分割コア１０の外周面に嵌められる。この際、焼き嵌めリング２０は、図５（Ｂ）に示すように、フランジ２２が所定の周方向位置に来るような回転位置で嵌められる（図３参照）。即ち、他の分割コア１０よりも外径側に突出するように調整された分割コア１０の周方向位置にフランジ２２が来るように、焼き嵌めリング２０の回転位置（各分割コア１０に対する周方向の位置）が決定される。焼き嵌めリング２０が冷却すると、焼き嵌めリング２０は内径方向に熱収縮し、各分割コア１０の外周面を内径側に押圧して各分割コア１０を固定（拘束）する（即ち、“焼き嵌め”が完了となる）。
【００４０】
次いで、焼き嵌めリング２０が冷却すると、図示を省略するが、各ロッド部５０は、アクチュエータ８０により上方に移動される。これにより、各内径側治具部６０は、内径側に移動可能となる。また、上押え部８４が上方の退避位置に移動される。これにより、焼き嵌めリング２０で一体化された各分割コア１０は、固定子コア製造装置から取り外すことができる。
【００４１】
ところで、各分割コア１０は、焼き嵌めリング２０で一体化された後、上述の如く各内径側治具部６０からの内径側からの拘束が無くなると、焼き嵌めリング２０の熱収縮により径方向内側へと移動される。このとき、焼き嵌めリング２０が周方向で均一に熱収縮するのであれば、各分割コア１０の内径側への移動量は各分割コア１０間で大きく相違しない。
【００４２】
しかしながら、焼き嵌めリング２０は、剛性の高いフランジ２２を周方向で局所的に有するので、フランジ２２のある周方向位置において熱収縮応力が他の周方向位置よりも大きくなる。従って、焼き嵌めリング２０の熱収縮応力は周方向で一定に生じない。従って、焼き嵌めリング２０は、焼き嵌めリング２０で一体化された後、上述の如く各内径側治具部６０からの内径側からの拘束が無くなると、周方向でフランジに対応する位置にある分割コア１０が、他の分割コアよりも内径側に移動される。
【００４３】
この点、図３を参照して説明した調整を行わない比較例の場合、即ち各内径側治具部６０の径位置を同一にセットする比較例の場合、各内径側治具部からの内径側からの拘束が無くなると、図６に模式的に示すような状態となる。即ち、焼き嵌めリングのフランジの熱収縮応力により、周方向でフランジに対応する位置にある分割コアが、他の分割コアよりも内径側に移動される。この結果、固定子コアの内周面の真円度及び円筒度が悪化する（図６には、誇張して図示）。
【００４４】
これに対して、本実施例によれば、図３を参照して説明した調整を行うことで、かかる固定子コア１の内周面の真円度及び円筒度の悪化を低減することができる。即ち、本実施例によれば、フランジ２２の部分の収縮応力が大きくなることを見越して、上述の如く、フランジ２２の部分に対応する周方向位置の各分割コア１０を、予め（焼き嵌めリング２０を嵌める前に）径方向外側に突出させておく。これにより、焼き嵌めリング２０が熱収縮する際、フランジ２２の部分に対応する周方向位置の各分割コア１０の径方向内側への移動が抑制され、固定子コア１の内周面の真円度及び円筒度の悪化を低減することができる。
【００４５】
より具体的には、各分割コア１０は、焼き嵌めリング２０が熱収縮する際、径方向に沿って内径側に移動するので、各分割コア１０間の周方向の間隔が狭くなることにより（円周が短くなることにより）、接線方向に内力が発生する。しかしながら、複数の分割コア１０のうちの径方向外側に突出している分割コア１０が存在すると、その突出した分割コア１０は、隣接する分割コア１０よりも突出しているが故に、隣接する分割コア１０（相対的に内径側に突出する分割コア１０）によって径方向外側に押出されるように力を受ける。即ち、フランジ２２の部分に対応する周方向位置の各分割コア１０は、焼き嵌めリング２０が熱収縮する際、突出していない隣接する各分割コア１０により径方向外側へ押圧される。これは、フランジ２２の部分に対応する周方向位置の各分割コア１０は、突出していない隣接する各分割コア１０によりも大きい熱収縮応力に対抗することができることを意味する。従って、フランジ２２の部分に対応する周方向位置の各分割コア１０は、焼き嵌めリング２０が熱収縮する際、径方向内側への移動が抑制される。
【００４６】
尚、フランジ２２の部分に対応する周方向位置の各分割コア１０の突出量は、焼き嵌めリング２０の熱収縮応力の周方向の分布や大きさ等に依存し、試験や解析等を用いて適合されてよい。例えば、各ロッド部５０の軸方向の位置（即ち各内径側治具部６０の径位置）を多様に変化させて、所望の真円度及び円筒度が実現される各ロッド部５０の軸方向の位置を試行的に見出す方法も可能である。
【００４７】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００４８】
例えば、上述した実施例では、好ましい実施例として、周方向に複数に分割された各ロッド部５０、周方向に複数に分割された各内径側治具部６０、及び、周方向に複数に分割された各外径側治具部７０が使用されている。これにより、フランジ２２の周方向位置が異なる複数種類の固定子コア１の製造にも対応することができる。また、量産中の突出量の微調整等も容易に可能となる。しかしながら、各ロッド部５０が一部材として一体化された構成が採用されてもよい。この場合、複数の内径側治具部６０のうちの、フランジ２２の部分に対応する周方向位置の内径側治具部６０について、予め径方向の長さ（突出量）を他の内径側治具部６０よりも長く形成しておけばよい。
【００４９】
また、各内径側治具部６０が一部材として一体化されてもよい。この場合、各ロッド部５０と各内径側治具部６０が一部材として一体化されてもよい。この場合、フランジ２２の部分に対応する周方向位置において突出する外周面を有する内径側治具（一部材）を予め作成しておけばよい。
【００５０】
また、上述した実施例では、各ロッド部５０を軸方向に駆動して、各内径側治具部６０の径位置を可変しているが、各内径側治具部６０の径位置を直接制御することも可能である。例えば、各内径側治具部６０の各スライド部材９２をアクチュエータにより径方向に駆動すれば、各内径側治具部６０の径位置を直接制御することは可能である。また、各内径側治具部６０の所望の径位置にて、各内径側治具部６０をボルト等で固定する方法も可能である。この場合、各内径側治具部６０の径位置の調整は、ボルトで固定する径位置を変化させることで実現される。
【００５１】
また、上述した実施例では、各ロッド部５０の外周面のテーパは、下方に行くほど各ロッド部５０の外径が小さくなる向きに形成され、各内径側治具部６０のテーパは、下方に行くほど内径側治具部６０の内径が小さくなる向きに形成されている。しかしながら、これらは逆であってもよい。即ち、各ロッド部５０の外周面のテーパは、下方に行くほど各ロッド部５０の外径が大きくなる向きに形成され、各内径側治具部６０のテーパは、下方に行くほど内径側治具部６０の内径が大きく向きに形成されてもよい。この場合、各ロッド部５０を上方に移動させると、内径側治具部６０の径位置が外径側に移動されることになる。
【符号の説明】
【００５２】
１    固定子コア
１０    分割コア
１２    コア部
１４    巻線
２０    焼き嵌めリング
２２    フランジ
４０    シャフト
５０    ロッド部
６０    内径側治具部
７０    外径側治具部
８０    アクチュエータ
８２    固定子コア支持部
８４    上押え部
９０    スライドガイド機構
９２    スライド部材
９４    スライド台
【図１】
2014187840.tif 000003
【図２】
2014187840.tif 000004
【図３】
2014187840.tif 000005
【図４】
2014187840.tif 000006
【図５】
2014187840.tif 000007
【図６】
2014187840.tif 000008